(57)【要約】【課題】本発明は、メス型端子のタブ挿入部にタブを挿入した状態において、振動などによる前記タブの摺動回転を防止できるオス型端子、及び、前記タブに対応するタブ挿入部を備えたメス型端子に前記タブを挿入した接続構造体を提供すること。【解決手段】オス型端子２は、メス型端子３における内部にタブ挿入空間Ｓが形成された端子接続部４０に挿入して接続するタブ１０を備え、タブ１０は、端子接続部４０への挿入方向Ｌに長く構成され、挿入方向Ｌと交差する板厚方向Ｔの一方側に、端子接続部４０に設けられた弾性接触部４２と当接する凸側平面部１４２が設けられ、他方側に、他方側から一方側に向う凹状であり、端子接続部４０の弾性接触部４２と対向する位置に設けられた、弾性接触部４２に向けて突出するビード４３と当接して位置規制される規制凹部１３が設けられた。【選択図】図１
2019061743.tif 000002
【特許請求の範囲】
【請求項１】
メス型端子における内部にタブ挿入空間が形成されたタブ挿入部に挿入して接続するタブを備えたオス型端子であって、
前記タブは、前記タブ挿入部への挿入方向に長く構成され、
前記挿入方向と交差する板厚方向の一方側に、前記タブ挿入部に設けられた弾性接触部と当接する当接部が設けられ、
他方側に、該他方側から前記一方側に向う凹状であり、前記タブ挿入部の前記弾性接触部と対向する位置に設けられた、前記弾性接触部に向けて突出する突出部と当接して位置規制される規制凹部が設けられた
オス型端子。
【請求項２】
前記規制凹部は、
前記一方側から前記他方側に向かって広がり、前記突出部に対して挟むように当接する一対の傾斜部を有する
請求項１に記載のオス型端子。
【請求項３】
前記タブにおける前記一方側の中央部分が、
前記挿入方向及び前記板厚方向と交差する幅方向に平行となる平面部で構成された
請求項１又は請求項２に記載のオス型端子。
【請求項４】
前記タブは、
前記当接部と前記規制凹部とが設けられたベース体と、
前記ベース体における前記幅方向の両端部から、前記板厚方向の前記他方側から前記一方側に向けて延びる脚部とで構成された
請求項１乃至請求項３のうちのいずれかに記載のオス型端子。
【請求項５】
前記ベース体は、断面が略Ｖ字状に形成され、
前記ベース体と前記脚部とで断面が略Ｍ字状に形成された
請求項４に記載のオス型端子。
【請求項６】
前記脚部の一端側端部が、前記ベース体の一端側端部よりも一端側に配置された
請求項４又は請求項５に記載のオス型端子。
【請求項７】
前記タブは、前記脚部の前記一方側の端部同士を、前記幅方向に沿って連結する連結部を有する
請求項６に記載のオス型端子。
【請求項８】
前記タブは、
前記当接部と前記規制凹部とが設けられたベース体で構成されており、
前記ベース体は、断面が略Ｖ字状に形成された
請求項１乃至請求項３のうちのいずれかに記載のオス型端子。
【請求項９】
請求項１乃至請求項８のうちのいずれかに記載のオス型端子と、
該オス型端子が装着されるハウジングとで構成されたオスコネクタであって、
前記オス型端子は、
前記タブの前記幅方向の長さが、前記板厚方向の長さよりも長く構成され、
前記オス型端子が、前記幅方向よりも前記板厚方向に沿って多数配列された
オスコネクタ。
【請求項１０】
タブを備えたオス型端子と、前記タブが挿入されるタブ挿入空間が内部に形成されたタブ挿入部を有するメス型端子とが接続された接続構造体であって、
前記タブ挿入部は、
前記タブを挿入する挿入方向と交差する板厚方向の一方側に設けられた弾性接触部と、
前記板厚方向の他方側における前記弾性接触部と対向する位置に設けられた、前記弾性接触部に向けて突出する突出部とが備えられ、
前記タブは、前記挿入方向に長く構成され、
前記弾性接触部と当接する当接部と、
前記他方側から前記一方側に向う凹状であり、前記突出部と当接して位置規制する規制凹部とが設けられた
接続構造体。
【発明の詳細な説明】
【技術分野】
【０００１】
この発明は、例えば、自動車用ワイヤーハーネスの接続を担うコネクタ等に装着されるオス型端子、及び、前記オス型端子とメス型端子とを電気的に接続させた接続構造体に関する。
【０００２】
従来、自動車には多数のワイヤーハーネスが配索され、それらワイヤーハーネスはコネクタによって接続されている。このようなコネクタには、ワイヤーハーネスを構成する被覆電線や電子基板などに固定された端子が装着されている。
【０００３】
このような端子は、例えば特許文献１に開示されているような、平板状の挿入タブを備えたオス型端子や、挿入タブの挿入を許容するタブ挿入部を備えたメス型端子がある。これらの端子を被覆電線や電子基板などに接続した状態で装着させたコネクタ同士を接続することでオス型端子とメス型端子とを接続し、被覆電線同士などを電気的に接続する。
【０００４】
特許文献１に開示されているオス型端子について詳述すると、このオス型端子は平板状に構成されたタブを備え、筐体であるタブ挿入部の底面を挿入方向先端側に延ばすとともに、先端部分を基端側に折り返してタブ挿入部内部に収納させた弾性接触部を備えるとともに、タブ挿入部の内側上面における弾性接触部と対向する位置に、下方側へ突出した突出部が設けられたメス型端子に挿入可能に構成されている。
【０００５】
このように構成されたオス型端子は、メス型端子のタブ挿入部にタブを挿入することにより、弾性接触部と突出部とで上下方向からタブが挟持され、メス型端子とオス型端子とを電気的に接続することができる。
【０００６】
しかしながら、特許文献１に開示される端子は、例えば車体の振動などにより、弾性接触部との接触部位を回転軸として摺動回転することがあり、タブと弾性接触部との接触部位が摩耗するといった問題があった。
【先行技術文献】
【特許文献】
【０００７】
【特許文献１】特開２００４−３１１０８５号公報
【発明の概要】
【発明が解決しようとする課題】
【０００８】
この発明は、上述の問題に鑑み、メス型端子のタブ挿入部にタブを挿入した状態において、振動などによる前記タブの摺動回転を防止できるオス型端子、及び、前記タブに対応するタブ挿入部を備えたメス型端子に前記タブを挿入した接続構造体を提供することを目的とする。
【課題を解決するための手段】
【０００９】
この発明は、メス型端子における内部にタブ挿入空間が形成されたタブ挿入部に挿入して接続するタブを備えたオス型端子であって、前記タブは、前記タブ挿入部への挿入方向に長く構成され、前記挿入方向と交差する板厚方向の一方側に、前記タブ挿入部に設けられた弾性接触部と当接する当接部が設けられ、他方側に、該他方側から前記一方側に向う凹状であり、前記タブ挿入部の前記弾性接触部と対向する位置に設けられた、前記弾性接触部に向けて突出する突出部と当接して位置規制される規制凹部が設けられたことを特徴とする。
【００１０】
またこの発明は、タブを備えたオス型端子と、前記タブが挿入されるタブ挿入空間が内部に形成されたタブ挿入部を有するメス型端子とが接続された接続構造体であって、前記タブ挿入部は、前記タブを挿入する挿入方向と交差する板厚方向の一方側に設けられた弾性接触部と、前記板厚方向の他方側における前記弾性接触部と対向する位置に設けられた、前記弾性接触部に向けて突出する突出部とが備えられ、前記タブは、前記挿入方向に長く構成され、前記弾性接触部と当接する当接部と、前記他方側から前記一方側に向う凹状であり、前記突出部と当接して位置規制する規制凹部とが設けられたことを特徴とする。
【００１１】
前記規制凹部は、前記挿入方向から視て前記板厚方向に、円弧状に窪ませた構成や、前記板厚方向の一方側から他方側に向かって広がる台形形状に窪ませた構成、矩形状に窪ませた構成などを含む。  
前記弾性接触部は、例えば前記タブ挿入部が筐体で構成されている場合において、前記筐体を構成する一面を挿入方向先端側に延ばすとともに、挿入方向に沿った断面が湾曲するように、先端部分を基端側に折り返してタブ挿入部の内部に収納させた構成や、前記タブ挿入部を構成する面の一部をタブ挿入空間に押し上げた構成などを含む。
【００１２】
前記突出部は、ビードと称する挿入方向から視て略半円断面状や略矩形断面状に形成されるとともに、前記挿入方向に沿って長さを有するように形成された突出部や、前記規制凹部と当接させたい箇所から前記一方側に向けて突出させた突出部などを含む。
【００１３】
上述の対向する位置とは、前記突出部と前記弾性接触部とが対面する位置に配置されている場合に限らず、前記突出部が前記弾性接触部の前記挿入方向の前後に外れて配置されている場合も含む。
【００１４】
この発明により、前記メス型端子の前記タブ挿入部に前記タブを挿入した状態において、振動などによる前記タブの摺動回転を防止できる。  
詳述すると、前記タブ挿入部に前記タブを挿入した状態において、前記タブは一方側が前記弾性接触部と当接して他方側に押し付けられるとともに、他方側に設けた前記規制凹部に前記突出部が当接することとなる。
【００１５】
このため前記タブは前記弾性接触部と前記突出部で固定されるとともに、他方側から一方側に窪ませた前記規制凹部に前記突出部が当接することとなる。これにより、前記弾性接触部と前記接触部の接点を回転軸として摺動回転するような外力が作用したとしても、前記規制凹部と前記突出部とが当接しているため、前記タブの摺動回転を規制できる。  
したがって、振動などによる前記タブの摺動回転を防止でき、前記タブと前記弾性接触部との接点が摩耗することを防止できる。
【００１６】
この発明の態様として、前記規制凹部は、前記一方側から前記他方側に向かって広がり、前記突出部に対して挟むように当接する一対の傾斜部を有してもよい。  
前記傾斜部は、直線状あるいは湾曲状に形成された場合を含む。
【００１７】
この発明により、確実に前記タブの摺動回転することを防止できる。  
例えば、前記規制凹部を形成する底面部分のみと前記突出部とが当接している場合、前記弾性接触部及び前記突出部により挟持された前記タブには、振動による摺動回転の回転方向と直交する方向にのみ、前記弾性接触部の押し付けによる外力が働くこととなる。すなわち、振動による摺動回転を摩擦力で防止することとなる。
【００１８】
これに対して、前記規制凹部が、前記一方側から前記他方側に向かって広がり、前記突出部に対して挟むように当接する一対の傾斜部を有することにより、前記突出部が前記傾斜部と当接した状態で前記タブに摺動回転方向に外力が作用したとしても、前記規制凹部と当接する前記突出部が直接的に前記タブを摺動回転させる外力を受けることとなり、より確実に前記タブの摺動回転を防止できる。
【００１９】
またこの発明の態様として、前記タブにおける前記一方側の中央部分が、前記挿入方向及び前記板厚方向と交差する幅方向に平行となる平面部で構成されてもよい。  
この発明により、前記弾性接触部を正確に前記平面部と当接させることができるため、前記弾性接触部により一方側から他方側へ作用する弾性力を前記タブに確実に伝えることができる。したがって、前記タブを前記弾性接触部と前記突出部とで確実に挟持させることができるとともに、前記規制凹部に前記突出部を確実に当接させることができ、安定した導電性を確保できる。
【００２０】
またこの発明の態様として、前記タブは、前記当接部と前記規制凹部とが設けられたベース体と、前記ベース体における前記幅方向の両端部から、前記板厚方向の前記他方側から前記一方側に向けて延びる脚部とで構成されてもよい。
【００２１】
この発明により、前記タブの剛性を向上させることができる。これにより、前記タブの前記幅方向の長さが短くでき、前記オス型端子を備えたコネクタを小型化できる。  
また、前記タブを前記タブ挿入部に挿通する際に、前記脚部が前記タブ挿入部を形成する壁部に沿って前記タブの挿入をガイドし、容易に前記タブを前記タブ挿入部に挿入できる。したがって、前記オス型端子及びメス型端子を小型化したとしても、前記タブの挿通作業を容易かつ確実に行うことができる。
【００２２】
この発明の態様として、前記ベース体は、断面が略Ｖ字状に形成され、前記ベース体と前記脚部とで断面が略Ｍ字状に形成してもよい。  
前記断面とは、前記挿通方向に延びる前記タブにおける前記挿通方向と直交する面で切断した断面をさし、前記弾性接触部と当接する前記当接部における断面のみならず、前記当接部における前記挿通方向の先端側及び後端側も含めた範囲を含む。換言すると、前記タブの基端部や先端部における断面は必ずしも略Ｖ字状でなくてもよい。
【００２３】
前記略Ｖ字状とは、対向する斜辺同士が頂点を形成する場合や、対向する斜辺同士の接点部分が湾曲している場合、前記挿入方向及び前記板厚方向と交差する幅方向に沿った直線で対向する斜辺同士を連結した場合を含む。すなわち、Ｖ字の頂点部分に該当する前記当接部の形状が、挿入方向視において角形状や円弧状、平面状である場合を含む。
【００２４】
この発明により、前記当接部を前記一方側に突出するように配置できるため、より確実に前記弾性接触部と前記タブとを当接させることができる。したがって、前記タブをより確実に他方側に押し付けることができ、前記突出部と前記規制凹部とを確実に当接させることができる。
【００２５】
また、断面略Ｖ字状のベース体の両端に、板厚方向の前記他方側から前記一方側に向けて延びる前記脚部を有するため、前記タブの剛性を向上させることができる。これにより、前記タブの前記幅方向の長さが短くでき、コネクタの小型化に対応できる。また、剛性を向上させることができるため、前記タブの肉厚を薄くでき、軽量化を図ることができる。
【００２６】
さらにまた、前記脚部が前記タブ挿入部に挿通する際に前記タブ挿入部を形成する壁部に対するガイドとして機能するため、容易に前記タブを前記タブ挿入部に挿入できる。これにより、前記オス型端子及びメス型端子を小型化したとしても、前記タブの挿通作業を容易かつ確実に行うことができる。
【００２７】
またこの発明の態様として、前記脚部の一端側端部が、前記ベース体の一端側端部よりも一端側に配置されてもよい。  
この発明により、前記タブの剛性をより向上させることができるとともに、前記タブの挿入作業をより容易かつ確実に行うことができる。
【００２８】
また、前記脚部の一端側端部が、前記ベース体の一端側端部よりも一端側に配置されていることにより、前記脚部は前記弾性接触部をタブの中央部分に配置するようにガイドでき、前記タブをより容易に前記タブ挿入部に挿入できる。
【００２９】
またこの発明の態様として、前記タブは、前記脚部の前記一方側の端部同士を、前記幅方向に沿って連結する連結部を有してもよい。  
この発明により、前記タブの剛性をより向上させることができるため、よりオス型端子の小型化に対応することができる。
【００３０】
またこの発明の態様として、前記当接部と前記規制凹部とが設けられたベース体で構成されており、前記ベース体は、断面が略Ｖ字状に形成されてもよい。  
この発明により、前記当接部が前記一方側に突出するため、より確実に前記弾性接触部を前記当接部に当接できる。これにより、前記タブをより確実に他方側に押し付けることができるため、前記突出部と前記規制凹部とを確実に当接させることができる。したがって、前記タブの摺動回転を防止できるとともに、オス型端子とメス型端子とを確実に電気的に接続できる。
【００３１】
またこの発明は、上述のオス型端子と、該オス型端子が装着されるハウジングとで構成されたオスコネクタであって、前記オス型端子は、前記タブの前記幅方向の長さが、前記板厚方向の長さよりも長く構成され、前記オス型端子が、前記幅方向よりも前記板厚方向に沿って多数配列されてもよい。
【００３２】
この発明によると、前記幅方向の長さが前記板厚方向の長さよりもオス型端子を前記幅方向に沿って多数配列した場合と比べて、配列した前記オス型端子の数に対してコンパクトにできる。このため、近年のように、車両内部の省スペース化と、電子機器の増加に対する端子の増加といった課題を解決することができる。
【発明の効果】
【００３３】
この発明により、メス型端子のタブ挿入部にタブを挿入した状態において、振動などによる前記タブの摺動回転を防止できるオス型端子、及び、前記タブに対応するタブ挿入部を備えたメス型端子に前記タブを挿入した接続構造体を提供することができる。
【図面の簡単な説明】
【００３４】
【図１】接続構造体の斜め上方からの外観を示す概略斜視図。
【図２】接続構造体の斜め上方からの外観を示す概略分解斜視図。
【図３】接続構造体の斜め下方からの外観を示す概略分解斜視図。
【図４】オス型端子の説明図。
【図５】メス型端子の説明図。
【図６】接続構造体の部分側面図。
【図７】接続構造体の部分断面図。
【図８】接続構造体の部分断面図。
【図９】オス型端子及びメス型端子を組み付けたコネクタの概略斜視図。
【図１０】オス型端子及びメス型端子を組み付けたコネクタの説明図。
【図１１】他のオス型端子の実施形態の説明図。
【発明を実施するための形態】
【００３５】
この発明の一実施形態を、以下図面と共に説明する。  
図１は接続構造体１の斜め上方からの外観を示す概略斜視図を示し、図２は接続構造体１の斜め上方からの外観を示す概略分解斜視図を示し、図３の接続構造体１を斜め下方からの外観を示す概略分解斜視図を示す。
【００３６】
図４は接続構造体１を構成するオス型端子２の説明図を示し、図５は接続構造体１を構成するメス型端子３の説明図を示す。詳述すると、図４（ａ）はオス型端子２の側面図を示し、図４（ｂ）は図４（ａ）におけるＡ−Ａ断面図を示し、図４（ｃ）は図４（ｂ）におけるα部の拡大図を示す。同様に、図５（ａ）は＋Ｔ方向側から視たメス型端子３の側面図を示し、図５（ｂ）は図５（ａ）におけるＢ−Ｂ断面図を示し、図５（ｃ）は図５（ｂ）におけるβ部の拡大図を示す。
【００３７】
ここで、図１中において、接続構造体１の長手方向を挿入方向Ｌとし、接続構造体１の幅方向を板厚方向Ｔとし、上下方向を幅方向Ｗとする。なお、挿入方向Ｌと板厚方向Ｔと幅方向Ｗとは互いに直交している。
【００３８】
また、図１中の挿入方向Ｌに沿って左方向を＋Ｌ方向とし、右方向を−Ｌ方向とする。同様に、図１中の板厚方向Ｔに沿って左方向を−Ｔ方向、右方向を＋Ｔ方向とし、図１中の幅方向Ｗに沿って上方向を＋Ｗ方向、下方向を−Ｗ方向とし、図２以下においても同様とする。
【００３９】
接続構造体１は、図１に示すように、基端側（−Ｌ方向側）を基板に接続させるオス型端子２と、図示しない他の機器類と接続された被覆電線１００を先端側（＋Ｌ方向側）から挿入できるとともに、基端側（−Ｌ方向側）からオス型端子２が挿入されるメス型端子３とで構成されている。  
なお被覆電線１００は、導電性を有する導体１１０と、導体１１０の挿入方向Ｌの外周を覆った絶縁被覆１２０とで構成され、図１中において破線で示す。
【００４０】
オス型端子２は、図２乃至図４に示すように、挿入方向Ｌに沿って長く構成された導電性のタブ１０と、タブ１０の基端側（−Ｌ方向）に設けられたタブ連結部２０と、タブ連結部２０の基端から−Ｌ方向に延びるバスバ端子部３０とで挿入方向Ｌの＋Ｌ方向からこの順で並んで一体に構成されている。
【００４１】
タブ１０は、挿入方向Ｌに沿って長く構成されるとともに、−Ｌ方向からメス型端子３に対して挿通可能に形成された導電性の金属板で構成されており、幅方向Ｗに沿って形成されたベース体１１と、ベース体１１の幅方向Ｗ側の両端部から−Ｔ方向に延びる脚部１２とで一体に構成されている。
【００４２】
ベース体１１は、図４（ａ）に示すように、先端側（＋Ｌ方向側）と基端側（−Ｌ方向側）が幅方向Ｗに向けて幅狭となるように構成された、断面略Ｖ字状の板状体である。
【００４３】
また、ベース体１１の挿入方向Ｌの中央部分における挿入方向Ｌの直交断面に示すように（図４（ｂ）参照）、ベース体１１の＋Ｔ側の面には、＋Ｔ側から−Ｔ側に向けた凹状を形成する規制凹部１３がベース体１１の挿入方向Ｌに沿って形成されており、ベース体１１の−Ｔ側の面には−Ｔ側に突出する凸部１４が挿入方向Ｌに沿って形成されている。
【００４４】
規制凹部１３は、図４（ｃ）に示すように、ベース体１１の幅方向Ｗの両端側から−Ｔ側に向かうにつれて幅方向Ｗの内側に向かう一対の傾斜面である凹側傾斜部１３１と、凹側傾斜部１３１の−Ｔ側の端部同士を連結する凹側平面部１３２とで構成されている。換言すると、規制凹部１３は−Ｔ方向側から＋Ｔ方向側に向かって広がった凹状の窪みである。  
なお、本実施形態において、凹側傾斜部１３１は−Ｔ方向側に凸状となるように湾曲した湾曲状としているが、この形状に限らず直線状としてもよい。
【００４５】
規制凹部１３が形成されることにより形成される凸部１４は、凹側傾斜部１３１と対向する位置において、−Ｔ側に向かうにつれて幅方向Ｗの内側に向かう一対の傾斜面である凸側傾斜部１４１と、凸側傾斜部１４１の−Ｔ側端部を連結する、幅方向Ｗと平行な平面である凸側平面部１４２とで構成されている。  
このように構成されたベース体１１は、ベース体１１の中央部分を挿入方向Ｌに対して垂直に切断した挿入方向断面が略Ｖ字状をしており、プレス加工などにより容易に製造できる。
【００４６】
ベース体１１の幅方向Ｗ両端から−Ｔ方向に向けて延出する脚部１２は、ベース体１１と同じ板厚を有する板材であり、脚部１２の先端側（−Ｔ方向端部）である脚底面１２１は凸側平面部１４２よりも−Ｔ方向側に配置されている。換言すると、板厚方向Ｔにおける脚部１２の長さＬ１は、板厚方向Ｔにおけるベース体１１の長さＬ２（断面略Ｖ字状に形成されたベース体１１において、凹側傾斜部１３１の＋Ｔ側端部から凸側平面部１４２の−Ｔ側端部までの長さ）よりも長く構成されている。
【００４７】
また、板厚方向Ｔにおける脚部１２の長さＬ１は、幅方向Ｗにおけるベース体１１の長さＷ１よりも短く構成されている。すなわち、タブ１０の中央部分を挿入方向Ｌに対して垂直に切断した挿入方向断面は幅方向Ｗに長い略Ｍ字状となる。このため、タブ１０は同じ板厚及び幅長である平板のタブと比べて剛性が向上している。
【００４８】
バスバ端子部３０は、タブ連結部２０を介してタブ１０と一体構成されたバスバであり、タブ連結部２０の基端側から−Ｌ方向に延びる棒状のバスバ連結部３１と、バスバ連結部３１の−Ｌ側端部において＋Ｔ側に僅かに屈曲するとともに−Ｗ方向に延出した屈曲部３２と、屈曲部３２と連結するとともに他の機器の基板などに接続されるバスバ３３とで一体構成されている。
【００４９】
メス型端子３は、図５（ａ）に示すように、金属部材で形成された中空状の細長筒状体であり、オス型端子２と接続させる端子接続部４０と、被覆電線１００と接続する電線接続部５０とが後端側（−Ｌ方向側）から先端側（＋Ｌ方向側）に向けてこの順に並んで配置されている。
【００５０】
端子接続部４０は、オス型端子２におけるタブ１０が挿入される断面矩形状の細長の筒状体で形成されたタブ挿入側筒部４１で構成され、タブ挿入側筒部４１の−Ｌ側端部には開放した開口端である開口端４１１が形成されているとともに（図３参照）、タブ挿入側筒部４１の内部にはタブ１０を挿入できるタブ挿入空間Ｓが形成される。また、タブ挿入側筒部４１の中央部分における内周面には、弾性接触部４２と、ビード４３とが設けられている（図５（ｂ）参照）。
【００５１】
開口端４１１は、正面視略正方形状に形成されており、幅長がタブ１０における幅長である長さＷ１よりも一回り長く、板厚方向Ｔの長さがタブ１０（脚部１２）の板厚方向Ｔの長さＬ１の約２倍の長さに構成されている。
【００５２】
弾性接触部４２は、図５（ｂ）及び図５（ｃ）に示すように、一端がタブ挿入側筒部４１の−Ｗ側内周面である底面４１ａの先端側に連結された連結端部４２１と、他端がタブ挿入側筒部４１のバスバ端子部３０の基端側に位置する自由端部４２２と、自由端部４２２の＋Ｌ側において底面４１ａの内面との接触状態を維持するように構成された舌片支持部４２３とを備えた、いわゆる片持ち梁状の板状体であり、連結端部４２１と自由端部４２２との間には、挿入されるタブ１０と当接してオス型端子２とメス型端子３とを電気接続する舌片当接部４４（ディンブル）が＋Ｔ側に突出するように設けられている。  
なお、挿入時において、タブ１０における凸側平面部１４２は、舌片当接部４４の頂点よりも−Ｔ方向側に配置される。
【００５３】
このように構成された弾性接触部４２は、自由端部４２２が自由端ではあるものの、連結端部４２１と舌片支持部４２３とで弾性接触部４２を底面４１ａに対して支持する、いわゆる２点支持構造であり、挿入されたタブ連結部２０の接触押圧力に対抗しうる十分大きな弾性力を発生させることができる。
【００５４】
ビード４３は、底面４１ａと対向するタブ挿入側筒部４１の内周面である上面４１ｂから、舌片当接部４４に向けて、すなわち−Ｔ側に向けて突出した突出部であり、タブ挿入側筒部４１の＋Ｔ側の外周面を−Ｗ側方向に押し付けて形成されている。
【００５５】
このビード４３は、弾性接触部４２の挿入方向Ｌの中央部分に設けた舌片当接部４４と対向する位置において、自由端部４２２の挿入方向Ｌの一定範囲に設けられた平面視略楕円形状の突出部であり、ビード４３の中央部分である中心突出部４３１よりも、弾性接触部４２の先後端側（±Ｌ方向側）にある先端側突出部４３２及び基端側突出部４３３の方が−Ｗ側に突出している。
【００５６】
電線接続部５０は、端子接続部４０の先端側（＋Ｌ方向側）から先端に延びる断面矩形状の細長の筒状体である先端側筒部５１で構成され、先端側筒部５１の基端（−Ｌ側端部）はタブ挿入側筒部４１の先端（＋Ｌ側端部）と連結されている。
【００５７】
また、先端側筒部５１の先端部は、開放した矩形状の先端側開口端５１１が設けられているとともに（図２参照）、電線接続部５０の内部に形成された電線配置空間Ｕが形成されている。なお、先端側開口端５１１は開口端４１１よりも一回り小さい正面視正方形状に形成されている（図示省略）。
【００５８】
このように構成された電線接続部５０は、先端側開口端５１１を介して、被覆電線１００の絶縁被覆１２０を剥いで露出させた導体１１０を＋Ｌ方向から挿通し、電線配置空間Ｕに導体１１０を配置できる。また、先端側開口端５１１を介して挿通された導体１１０は、電線接続部５０における幅方向Ｗ両端に設けられた弾性挟持片５２により幅方向Ｗ側から挟持され、電線接続部５０に対して電気的、機械的に固定されて電線配置空間Ｕに配置される。
【００５９】
以下、タブ１０を端子接続部４０に挿入することによりオス型端子２とメス型端子３とを接続した接続構造体１の接続状態について、図６乃至図８に基づいて簡単に説明する。  
ここで、図６はオス型端子２とメス型端子３とが接続した接続構造体１における端子接続部４０を＋Ｔ方向側から視た拡大側面図を示し、図７及び図８はオス型端子２とメス型端子３とを接触させた位置における断面図を示す。
【００６０】
具体的には、図７（ａ）は図６におけるＣ−Ｃ断面図を示し、図７（ｂ）は図６におけるＤ−Ｄ断面図を示し、図８は図６におけるＥ−Ｅ断面図を示す。  
なお図７及び図８では、便宜上タブ連結部２０及びバスバ端子部３０を省略して図示する。
【００６１】
図６に示すように、タブ１０を開口端４１１から＋Ｌに押し込むことにより、タブ１０を端子接続部４０に挿入することができる。このとき、タブ１０を構成する脚部１２が開口端４１１を構成する側面部４１ｃに対して平行となる。また、脚部１２の挿入方向Ｌ１が開口端４１１の約半分程度の長さを有するため、脚部１２がタブ挿入側筒部４１への挿入する際のガイドとして機能する。
【００６２】
また、脚部１２の長さである挿入方向Ｌ１が、ベース体１１の板厚方向Ｔにおける長さＬ２よりも長いため、脚部１２同士の間に弾性接触部４２が配置されることとなる。このため、脚部１２は弾性接触部４２がタブ１０における幅方向Ｗの中央部分に配置されるようにガイドとしても機能する。
【００６３】
このように、脚部１２をガイドとして端子接続部４０に挿入されたタブ１０は、先端が端子接続部４０の先端付近まで挿入されるとともに、弾性接触部４２とビード４３とで挟持され、タブ挿入空間Ｓに固定される。
【００６４】
詳述すると、弾性接触部４２に設けた舌片当接部４４とタブ１０とが当接する位置では、図７（ａ）に示すように、舌片当接部４４が当接部として機能する凸側平面部１４２と当接する。このとき、弾性接触部４２は弾性を有するため、弾性接触部４２はタブ１０を＋Ｔ方向に押しつけ、タブ１０と端子接続部４０を導電させる。
【００６５】
その一方で、中心突出部４３１は先端側突出部４３２及び基端側突出部４３３よりも突出量が少ないため、舌片当接部４４とタブ１０とが当接するこの位置においては、規制凹部１３と中心突出部４３１とが当接していない。
【００６６】
これに対して、舌片当接部４４とタブ１０とが当接する位置の先端側（＋Ｌ方向側）では、図７（ｂ）に示すように、中心突出部４３１よりも−Ｔ側に突出する先端側突出部４３２が対となる凹側傾斜部１３１と２か所で当接されることとなる。より詳しくは、凹側傾斜部１３１は幅方向Ｗにおいて略対称となる位置で先端側突出部４３２と当接している。すなわち、凹側傾斜部１３１は略対称となる位置でビード４３を挟むように先端側突出部４３２と当接している。
【００６７】
このため、舌片当接部４４と凸側平面部１４２との当接部分を回転中心としてタブ１０が摺動回転しようとした場合であっても、凹側傾斜部１３１と当接している先端側突出部４３２により摺動回転の回転方向（板厚方向Ｔに対して水平方向）と反対方向に抗力が作用し、タブ１０の摺動回転を確実に防止できる。
【００６８】
また、舌片当接部４４は弾性力によりタブ１０を＋Ｔ側に押し上げているため、凹側傾斜部１３１と基端側突出部４３３との当接点には外力が作用し、タブ１０と端子接続部４０とを導電させることができる。
【００６９】
同様に、舌片当接部４４とタブ１０とが当接する位置の基端側（−Ｌ方向側）では、図７（ｃ）に示すように、中心突出部４３１よりも−Ｔ側に突出する基端側突出部４３３が対となる凹側傾斜部１３１に挟まれるように２か所で当接している。
【００７０】
このため、舌片当接部４４と凸側平面部１４２との当接点を回転中心としてタブ１０が摺動回転しようとした場合であっても、凹側傾斜部１３１と当接している基端側突出部４３３により摺動回転の回転方向（板厚方向Ｔに対して水平方向）と反対方向に抗力が作用するため、タブ１０の摺動回転を確実に防止できる。  
また、凹側傾斜部１３１と基端側突出部４３３との当接点には外力が作用し、タブ１０と端子接続部４０とを確実に接触させて導電させることができる。
【００７１】
このように、本実施形態では舌片当接部４４と凸側平面部１４２との当接点の挿入方向Ｌの先端側及び基端側において、凹側傾斜部１３１とビード４３（先端側突出部４３２及び基端側突出部４３３）とが４か所で当接しており、また、先端側突出部４３２及び基端側突出部４３３は幅方向Ｗにおいて略対称となる位置で対となる凹側傾斜部１３１と当接しているため、より確実に舌片当接部４４との当接点を回転中心としたタブ１０の摺動回転を防止できる。
【００７２】
このように構成されたオス型端子２は、例えば図９及び図１０に示すような、コネクタ付ワイヤーハーネス２００と接続させるオス型コネクタ５００に用いられる。  
ここで図９は、コネクタ付ワイヤーハーネス２００及びオス型コネクタ５００の概略斜視図を示し、図１０はコネクタ付ワイヤーハーネス２００のリアカバー４３０及びハウジングケース４２０、オス型コネクタ５００のオス型ハウジング５１０を破線で表示することで、リアカバー４３０及びハウジングケース４２０、オス型ハウジング５１０を透過した状態示したコネクタ付ワイヤーハーネス２００及びオス型コネクタ５００の概略斜視図を示す。なお、図９及び図１０中の上下方向を垂直方向Ｚとする。
【００７３】
図９に示すように、コネクタ付ワイヤーハーネス２００は、被覆電線１００が束ねられたワイヤーハーネス３００の先端部にメス型コネクタ４００が接続されて構成されている。コネクタ付ワイヤーハーネス２００及びオス型コネクタ５００は、車両（例えば自動車）に搭載して使用可能である。
【００７４】
このメス型コネクタ４００は、被覆電線１００に接続される複数のメス型端子３と、複数のメス型端子３が装着されるハウジング４１０と、ハウジング４１０をハウジング前部側から収容するハウジングケース４２０と、ハウジング４１０の後端から引き出された被覆電線１００の束の端部を収容するようにハウジングケース４２０に装着されるリアカバー４３０とで構成されており、例えば車両に搭載されている電子機器類に固定されているオス型コネクタ５００と接続可能に構成される。
【００７５】
オス型コネクタ５００は、図１０に示すように、メス型コネクタ４００に装着されたメス型端子３と対応するように配置されたオス型端子２と、オス型端子２を収納するオス型ハウジング５１０とで構成されている。なお、このオス型ハウジング５１０に収納されているオス型端子２は、タブ１０における幅方向Ｗが垂直方向Ｚに沿うように配置されている。またオス型端子２は、板厚方向Ｔに８本、幅方向Ｗに２列の計１６本を一セットとして、５セット（下方に３セット、上方に２セット）をオス型ハウジング５１０に配置している。
【００７６】
このようにオス型端子２を配置したオス型コネクタ５００は、タブ１０の幅方向Ｗを垂直方向Ｚに沿って配置されたオス型端子２が、幅方向Ｗよりも板厚方向Ｔに沿って多数配列されているため、例えば板厚方向Ｔを垂直方向Ｚに沿って配置したオス型端子２を幅方向Ｗに沿って多数配列した場合と比べて、配列したオス型端子２の数に対するオス型コネクタ５００の大きさを小型化できる。
【００７７】
このように構成されたオス型端子２は、メス型端子３における内部にタブ挿入空間Ｓが形成された端子接続部４０に挿入して接続するタブ１０を備え、タブ１０は、端子接続部４０への挿入方向Ｌに長く構成され、挿入方向Ｌと交差する板厚方向Ｔの一方側（−Ｔ方向側）に、端子接続部４０に設けられた弾性接触部４２と当接する凸側平面部１４２が設けられ、他方側（＋Ｔ方向側）に、他方側から一方側に向う凹状であり、端子接続部４０の弾性接触部４２と対向する位置に設けられた、弾性接触部４２に向けて突出するビード４３と当接して位置規制される規制凹部１３が設けられたことにより、メス型端子３の端子接続部４０にタブ１０を挿入した状態において、振動などによるタブ１０の摺動回転を防止できる。
【００７８】
詳述すると、端子接続部４０にタブ１０を挿入した状態において、タブ１０は一方側が弾性接触部４２と当接して他方側に押し付けられるとともに、他方側に設けた規制凹部１３にビード４３が当接することとなる。
【００７９】
このためタブ１０は弾性接触部４２とビード４３で挟持されて固定されるとともに、他方側から一方側に窪ませた規制凹部１３にビード４３が当接することとなり、弾性接触部４２と凸側平面部と１４２の接点を回転軸として摺動回転するように外力が作用したとしても、規制凹部１３とビード４３とが当接することとなり、タブ１０の摺動回転を規制できる。したがって、振動などによるタブ１０の摺動回転を防止でき、タブ１０と弾性接触部４２との接点が摩耗を防止できる。
【００８０】
また規制凹部１３は、一方側から他方側に向かって広がり、ビード４３に対して挟むように当接する一対の凹側傾斜部１３１を有していることにより、確実にタブ１０の摺動回転することを防止できる。
【００８１】
詳述すると、ビード４３が凹側傾斜部１３１と当接した状態でタブ１０に摺動回転方向に外力が作用したとしても、規制凹部１３と当接するビード４３が直接的にタブ１０を摺動回転させる外力を受けることとなり、より確実にタブ１０の摺動回転を防止できる。
【００８２】
また、タブ１０における一方側の中央部分、すなわち、が、挿入方向Ｌ及び板厚方向Ｔと交差する幅方向Ｗに平行となる凸側平面部１４２で構成されることにより、弾性接触部４２を正確に凸側平面部１４２と当接させ、弾性接触部４２により一方側から他方側へ作用する弾性力をタブ１０に確実に伝えることができる。したがって、タブ１０を弾性接触部４２とビード４３とで確実に挟持させることができる。
【００８３】
さらにまた、凸側平面部１４２と規制凹部１３とが設けられたベース体１１で構成されており、ベース体１１は、断面が略Ｖ字状に形成されることにより、凸側平面部１４２が−Ｔ方向側に突出するため、より確実に弾性接触部４２を凸側平面部１４２に当接でき、またタブ１０をより確実に＋Ｔ方向側に押し付けることができる。したがって、ビード４３と規制凹部１３とを確実に当接させることができる。
【００８４】
また、タブ１０は、凸側平面部１４２と規制凹部１３とが設けられたベース体１１と、ベース体１１における幅方向Ｗの両端部から、板厚方向Ｔの他方側から一方側に向けて延びる脚部１２とで構成されることにより、タブ１０の剛性を向上させることができ、タブ１０の幅方向Ｗの長さが短くできる。これにより、メス型端子３を備えたコネクタを小型化できる。
【００８５】
さらにまた、タブ１０を端子接続部４０に挿入する際に、脚部１２が端子接続部４０を形成する壁部に沿ってガイドするため、容易にタブ１０を端子接続部４０に挿入できる。これにより、オス型端子２及びメス型端子３を小型化したとしても、タブ１０の挿入作業を容易かつ確実に行うことができる。
【００８６】
また、ベース体１１は、断面が略Ｖ字状に形成され、ベース体１１と脚部１２とで断面が略Ｍ字状に形成されることにより、凸側平面部１４２を−Ｔ方向側に突出するように配置でき、より確実に弾性接触部４２とタブ１０とを当接させることができる。したがって、タブ１０をより確実に他方側に押し付けることができ、ビード４３と規制凹部１３とを確実に当接させることができる。
【００８７】
また、断面略Ｖ字状のベース体１１の両端に、板厚方向Ｔの他方側から一方側に向けて延びる脚部１２を有するため、タブ１０の剛性を向上させることができる。これにより、タブ１０の幅方向Ｗの長さが短くでき、コネクタの小型化に対応できる。また、剛性を向上させることができるため、タブ１０の肉厚を薄くでき、軽量化を図ることができる。
【００８８】
さらにまた、脚部１２が端子接続部４０に挿入する際に端子接続部４０を形成する壁部に対するガイドとして機能するため、容易にタブ１０を端子接続部４０に挿入できる。これにより、オス型端子２及びメス型端子３を小型化したとしても、タブ１０の挿入作業を容易かつ確実に行うことができる。
【００８９】
また、脚部１２の一端側端部（−Ｔ方向側端部）が、ベース体１１を構成する凸側平面部１４２の一端側端部（−Ｔ方向側端面）よりも−Ｔ方向側に配置されることにより、タブ１０の剛性をより向上させることができるとともに、端子接続部４０を形成する壁部に対するガイドとしてより機能するため、タブ１０の挿入作業をより容易かつ確実に行うことができる。
【００９０】
さらにまた、脚部１２の一端側端部が、ベース体１１の一端側端部よりも一端側に配置されていることにより、脚部１２は弾性接触部４２をタブの中央部分に配置するようにガイドでき、タブ１０をより容易に端子接続部４０に挿入できる。
【００９１】
またオス型端子２と、オス型端子２が装着されるオス型ハウジング５１０とで構成されたオス型コネクタ５００であって、オス型端子２は、タブ１０の幅方向Ｗの長さが、板厚方向Ｔの長さよりも長く構成され、オス型端子２が、幅方向Ｗよりも板厚方向Ｔに沿って多数配列されることにより、幅方向Ｗの長さが板厚方向Ｔの長さよりもオス型端子２を幅方向Ｗに沿って多数配列した場合と比べて、配列したオス型端子２の数に対してコンパクトにできる。このため、近年のように、車両内部の省スペース化と、電子機器の増加に対する端子の増加といった課題を解決することができる。
【００９２】
この発明の構成と、上述の実施形態との対応において、
タブ挿入部は、端子接続部４０に対応し、
当接部は、凸側平面部１４２に対応し、
突出部は、ビード４３に対応し、
傾斜部は、凹側傾斜部１３１に対応し、
平面部は、凸側平面部１４２に対応し、
ハウジングは、オス型ハウジング５１０に対応し
オスコネクタは、オス型コネクタ５００に対応するが、
この発明は、上述の実施形態の構成のみに限定されるものではなく、多くの実施の形態を得ることができる。
【００９３】
例えば、本実施形態において、規制凹部１３は、挿入方向Ｌから視て−Ｔ方向側に、円弧状に窪ませて形成された構成としているが、例えば、−Ｔ方向側から＋Ｔ方向側に向かって広がる台形形状に窪ませて形成された構成や矩形状に窪ませた構成などであってもよい。
【００９４】
また、弾性接触部４２は、筐体で構成したタブ挿入側筒部４１を構成する一面（底面４１ａ）を−Ｌ方向側に延ばすとともに、挿入方向Ｌに沿った断面が湾曲するように、―Ｌ方向側端部を＋Ｌ方向側に折り返して端子接続部４０の内部に収納させた構成としてもよい。すなわち、弾性接触部４２は弾性力により端子接続部４０に挿入されたタブ１０を＋Ｔ方向側に押し付ける構成であればその形状を問わない。
【００９５】
また、規制凹部１３と当接するビード４３は、本実施形態のように、タブ挿入側筒部４１の＋Ｔ方向側の面を−Ｔ方向に窪ませたビートとしているが、例えば凹側傾斜部１３１と当接させる箇所において−Ｔ方向側に突出させた突部としてもよい。
【００９６】
本実施形態において、凹側傾斜部１３１は４か所でビード４３（先端側突出部４３２及び基端側突出部４３３）と当接しているが、必ずしも４か所である必要はなく、例えば２か所（先端側突出部４３２又は基端側突出部４３３）で当接してもよく、また中心突出部４３１が凹側傾斜部１３１と当接する構成としてもよい。
【００９７】
なお、タブ１０は先端側突出部４３２と基端側突出部４３３と当接する凹側傾斜部１３１と、舌片当接部４４と当接する凸側平面部１４２の３点で安定的に接触させることができるため、オス型端子２とメス型端子３との電気的接続を確実に実現できる。
【００９８】
また、本実施形態では、図４（ｂ）に示すように、タブ１０の挿入方向Ｌ断面が略Ｍ字形状となるように構成されているが、例えば、図１１（ａ）に示すように、脚部１２のない挿入方向Ｌ断面が略Ｖ字状となるように構成されてもよい。
【００９９】
ここで図１１（ａ）及び図１１（ｂ）はオス型端子２の他の実施形態における図６のＣ−Ｃ断面図を示す。
【０１００】
これにより、凸側平面部１４２が−Ｔ方向側に突出するため、より確実に弾性接触部４２とタブ１０とを当接させることができる。また、タブ１０をより確実に＋Ｔ方向側に押し付けることができ、ビード４３と規制凹部１３とを確実に当接させることができる。
【０１０１】
さらにまた図１１（ｂ）に示すように脚部１２の−Ｔ側端部を連結する連結部１５を設けた挿入方向Ｌ断面が略Ｂ字形状となるように構成されてもよい。これにより、タブ１０の剛性をより向上させることができるため、よりオス型端子２を小型化できる。  
しかしながら、断面Ｍ字形状の方が、タブ１０は適度な強度を有しつつ、タブ１０を舌片当接部４４及びビード４３に確実に当接させることができるため、断面略Ｖ字状や断面Ｂ字形状よりも好ましい。
【０１０２】
また、オス型端子２におけるタブ１０の基端側（−Ｌ方向側）にはバスバ端子部３０が連結しているが、例えばバスバ端子部３０の代わりに被覆電線１００を圧着させる圧着部と連結しても良い。同様に、メス型端子３における端子接続部４０の先端側（＋Ｌ方向側）には電線接続部５０が連結しているが、電線接続部５０の代わりに被覆電線１００を圧着させる圧着部やコネクタボックスに収容可能な収容部などを連結させても良い。すなわち、タブ１０の基端側及び端子接続部４０の先端側と連結させる部品は、適宜選択することができる。
【符号の説明】
【０１０３】
４０  端子接続部
１４２  凸側平面部
４３    ビード
１３１  凹側傾斜部
１４２  凸側平面部
５１０  オス型ハウジング
５００  オス型コネクタ
【図１】
2019061743.tif 000003
【図２】
2019061743.tif 000004
【図３】
2019061743.tif 000005
【図４】
2019061743.tif 000006
【図５】
2019061743.tif 000007
【図６】
2019061743.tif 000008
【図７】
2019061743.tif 000009
【図８】
2019061743.tif 000010
【図９】
2019061743.tif 000011
【図１０】
2019061743.tif 000012
【図１１】
2019061743.tif 000013